(57)【特許請求の範囲】
【請求項１】
柵本体の上部に忍び部が設けられた忍び部付き柵において、
前記忍び部にコイル状の発光体が前記忍び部に張られた横線の周囲に、前記横線に沿って取り付けられ、前記発光体は、蓄光線材からなることを特徴とする忍び部付き柵。
【請求項２】
前記忍び部は、前記柵本体の上部に傾斜して設けられていることを特徴とする、請求項１に記載の忍び部付き柵。
【請求項３】
前記忍び部は、前記柵本体の上部に垂直に設けられていることを特徴とする、請求項１に記載の忍び部付き柵。
【発明の詳細な説明】
【技術分野】
【０００１】
この発明は、忍び部付き柵、特に、忍び部に発光体としての蓄光線材が取り付けられた柵に関するものである。
【背景技術】
【０００２】
従来、視線誘導効果を高めた道路柵が特許文献１に開示されている。
【０００３】
以下、この道路柵を従来柵といい、図面を参照しながら説明する。
【０００４】
図１１は、従来柵を示す部分正面図である。
【０００５】
図１１に示すように、従来柵は、親柱１１と、中間柱１２と、中間柱１２間に配された横ビーム１３と、横ビーム１３間に配された縦ビーム１４と、手摺１５と、手摺１５に沿って取り付けられたチューブ状の発光体１６と、親柱１１内に設置された、発光体１６の光源１７と、電源１８とからなっている。
【０００６】
発光体１６は、光源１７から導光された光を出射することにより線状に発光する機能を有している。
【０００７】
発光体１６は、可撓性チューブと、この中に収容された、可撓性チューブよりも屈折率の高いコアとからなっている。
【０００８】
光源１７は、商用電源や太陽電池等の電源１８から給電されて発光するハロゲンランプ等からなっている。
【０００９】
このように、手摺１５に線状の発光体１６を取り付けることによって、特に、夜間において、高い視線誘導効果を得ることができる。
【先行技術文献】
【特許文献】
【００１０】
【特許文献１】特開平８−２４６４２６号公報
【特許文献２】特開２００２−１１８１８号公報
【発明の概要】
【発明が解決しようとする課題】
【００１１】
上記従来柵によれば、手摺１５に線状の発光体１６を取り付けることによって、特に、夜間において、高い視線誘導効果を得ることができるが、以下のような問題があった。
【００１２】
（ａ）発光体１６は、光源１７を必要とするので、何らかの原因で電源１８が故障した場合には、発光体１６の機能が発揮されない。
（ｂ）発光体１６は、光源１７から導光された光を出射することにより発光するものであるので、発光量が、発光体１６の全長に亘って均一でない。
（ｃ）発光体１６を忍び部付き柵の忍び部に取り付ける場合、高い視線誘導効果を得るには、忍び部に張られた横線の周囲にコイル状に取り付けることが考えられるが、発光体１６は、可撓性チューブと、この中に収容された、可撓性チューブよりも屈折率の高いコアとからなっているので、ある程度、太径となり、横線にコイル状に取り付けることが困難である。
【００１３】
従って、この発明の目的は、高い視線誘導効果を得ることができることは勿論、故障することなく所定時間、発光が持続し、発光量が発光体の全長に亘って均一であり、しかも、発光体を忍び部に張られた横線の周囲にコイル状に容易に取り付けることができる忍び部付き柵を提供することにある。
【課題を解決するための手段】
【００１４】
この発明は、上記目的を達成するためになされたものであり、下記を特徴とするものである。
【００１５】
請求項１に記載の発明は、柵本体の上部に忍び部が設けられた忍び部付き柵において、前記忍び部にコイル状の発光体が前記忍び部に張られた横線の周囲に、前記横線に沿って取り付けられ、前記発光体は、蓄光線材からなることに特徴を有するものである。
【００１６】
請求項２に記載の発明は、請求項１に記載の発明において、前記忍び部は、前記柵本体の上部に傾斜して設けられていることに特徴を有するものである。
【００１７】
請求項３に記載の発明は、請求項１に記載の発明において、前記忍び部は、前記柵本体の上部に垂直に設けられていることに特徴を有するものである。
【発明の効果】
【００１８】
この発明によれば、高い視線誘導効果を得ることができることは勿論、故障することなく所定時間、発光が持続し、発光量が発光体の全長に亘って均一であり、しかも、発光体を忍び部に張られた横線の周囲にコイル状に容易に取り付けることができる。
【図面の簡単な説明】
【００１９】
【図１】この発明の忍び部付き柵を示す正面図である。
【図２】この発明の忍び部付き柵を示す平面図である。
【図３】この発明の忍び部付き柵を示す側面図である。
【図４】図２のＡ−Ａ部拡大図である。
【図５】図３のＢ−Ｂ部拡大図である。
【図６】この発明の別の忍び部付き柵を示す正面図である。
【図７】この発明の別の忍び部付き柵を示す平面図である。
【図８】この発明の別の忍び部付き柵を示す側面図である。
【図９】図７のＡ−Ａ部拡大図である。
【図１０】図８のＢ−Ｂ部拡大図である。
【図１１】従来柵を示す部分正面図である。
【発明を実施するための形態】
【００２０】
この発明の忍び部付き柵の一実施態様を、図面を参照しながら説明する。
【００２１】
図１は、この発明の忍び部付き柵を示す正面図、図２は、この発明の忍び部付き柵を示す平面図、図３は、この発明の忍び部付き柵を示す側面図、図４は、図２のＡ−Ａ部拡大図、図５は、図３のＢ−Ｂ部拡大図である。
【００２２】
図１から図５において、１は、柵本体であり、支柱２と、支柱２間に取り付けられた菱形金網を備えたパネル３とからなっている。
【００２３】
４は、柵本体１の上部に設けられた忍び部である。忍び部４は、支柱２の延長頂部間に張り渡された、この例では、３本の横線５と、各横線５の周囲に、横線５に沿って取り付けられた発光体としてのコイル状の蓄光線材６とからなっている。なお、各蓄光線材６内に複数本の横線５を通しても良い。
【００２４】
蓄光線材６は、鋼線に、例えば、特許文献２に開示されている蓄光性物質をコーティングしたものからなっている。蓄光性物質は、外部から光や紫外線等を受けると蓄光して、暗い所で発光する作用を有している。
【００２５】
このように、忍び部の横線５の周囲に、コイル状の蓄光線材６を横線５に沿って取り付けることにより、蓄光性物質が昼間は、蓄光し、夜間に発光するために、高い視線誘導効果が得られる。視線誘導効果は、蓄光線材６をコイル状に形成することによって、更に高まる。
【００２６】
しかも、蓄光線材６は、無電源で発光するために、故障することもなく、蓄光線材６の全長に亘って均一に発光する。
【００２７】
さらに、蓄光線材６は、鋼線に蓄光性物質をコーティングしたものであるので、自在に折り曲げることができる。従って、横線５の周囲に容易にコイル状に取り付けることができる。実際には、コイル状に巻いた蓄光線材６を横線５に取り付ける。
【００２８】
以上のように、この発明によれば、高い視線誘導効果を得ることができることは勿論、故障することなく所定時間、発光が持続し、発光量が発光体の全長に亘って均一であり、しかも、発光体を忍び部に張られた横線の周囲にコイル状に容易に取り付けることができる。
【００２９】
次に、この発明の別の忍び部付き柵を、図面を参照しながら説明する。
【００３０】
図６は、この発明の別の忍び部付き柵を示す正面図、図７は、この発明の別の忍び部付き柵を示す平面図、図８は、この発明の別の忍び部付き柵を示す側面図、図９は、図７のＡ−Ａ部拡大図、図１０は、図８のＢ−Ｂ部拡大図である。
【００３１】
この発明の別の忍び部付き柵は、上述した忍び部付き柵と忍び部が垂直に形成されている点でのみ相違する。
【００３２】
この発明の別の忍び部付き柵においても、夜間において、高い視線誘導効果を得ることができることは勿論、故障することなく所定時間、発光が持続し、発光量が発光体の全長に亘って均一であり、しかも、発光体を忍び部に張られた横線の周囲にコイル状に容易に取り付けることができる。
【符号の説明】
【００３３】
１：柵本体
２：支柱
３：パネル
４：忍び部
５：横線
６：蓄光線材
１１：親柱
１２：中間柱
１３：横ビーム
１４：縦ビーム
１５：手摺
１６：発光体
１７：光源
１８：電源
【図１】
0006356085.tif 000002
【図２】
0006356085.tif 000003
【図３】
0006356085.tif 000004
【図４】
0006356085.tif 000005
【図５】
0006356085.tif 000006
【図６】
0006356085.tif 000007
【図７】
0006356085.tif 000008
【図８】
0006356085.tif 000009
【図９】
0006356085.tif 000010
【図１０】
0006356085.tif 000011
【図１１】
0006356085.tif 000012